(57)【要約】【課題】棚板の着脱作業が極めて簡単でありながら、高荷重にも十分耐えることのできる棚板装置を提供する。【解決手段】被取付面に取着される支持部材１と、この支持部材１に着脱可能に装着される棚板２とを備え、基盤部１０の前面の上縁部に、その幅方向に沿って上向き凹部１４を基部に有する上側受片１１が突設されるとともに、その基盤部１０の前面の下縁部に、その幅方向に沿って下向き凹部１５を基部に有する下側受片１２が突設されてなる支持部材１の前記上側受片１１の上向き凹部１４に、棚板２に備えられた上側固定片２１の下向き凸部２４を嵌合させて、該嵌合部分Ｐを軸に棚板２を下方向へ回動させることにより、棚板２に備えられた下側固定片２２の上向き凸部２５が支持部材１の下側受片１２の下向き凹部１５に嵌入されて棚板２が支持部材１に固定されることを特徴とする。【選択図】図１
2007252591.tif 000002
【特許請求の範囲】
【請求項１】
被取付面に取着される支持部材と、この支持部材に着脱可能に装着される棚板とから構成され、
前記支持部材は、被取付面に取付けられる基盤部と、この基盤部の前面の上縁部にその幅方向に沿って突設され、曲面で構成された上向き凹部を基部に有する上側受片と、前記基盤部の前面の下縁部にその幅方向に沿って突設され、下向き凹部を基部に有する下側受片とを備え、
前記棚板は、前記上側受片の上向き凹部と嵌合可能で且つ上向き凹部の曲面と同様の曲面で構成された下向き凸部を先端部に有する上側固定片と、前記下側受片の下向き凹部と嵌合可能な上向き凸部を先端部に有する下側固定片とを備え、
前記棚板の上側固定片の下向き凸部と前記支持部材の上側受片の上向き凹部とが嵌合された状態で該嵌合部分を軸に棚板が下方向へ回動されることにより、棚板の下側固定片の上向き凸部が支持部材の下側受片の下向き凹部に嵌入されて棚板が支持部材に固定されることを特徴とする棚板装置。
【請求項２】
前記支持部材の基盤部の前面に、前記棚板の幅寸法に対応する間隔を隔てて一対の側面板が形成され、この一対の側面板が前記棚板の左右側面に固定されることを特徴とする請求項１に記載の棚板装置。
【発明の詳細な説明】
【技術分野】
【０００１】
本発明は、物を載置するための棚板を壁面等に着脱自在に取り付けることが可能な棚板装置に関する。
【背景技術】
【０００２】
従来より、天井と床面との間に立設した左右一対の支柱にブラケットを取り付け、これら両ブラケットの上に棚板を載置固定してなる棚板装置は知られている。ところが、このような棚板装置においては、既に取り付けた棚板を、この棚板とは奥行き寸法の異なる棚板に交換しようとした場合、既設の棚板と共に使用しているブラケットも支柱から取り外し、新たな棚板に対応するブラケットに交換する必要があるため、棚板の交換作業が煩雑であった。
【０００３】
そこで、左右一対の支柱の前面に設けた係止孔に、両側部後端に設けたフックを係止して両支柱の前面に架設するようにした棚板が特許文献１に記載されている。このような棚板は、ブラケットに相当する機能が棚板に備えられているため、上記したような棚板交換作業の煩雑さがなく取り扱いが容易である。
【特許文献１】特開２００５−３０４９２１号公報
【発明の開示】
【発明が解決しようとする課題】
【０００４】
しかしながら、特許文献１に記載の棚板においては、棚板の両側部後端に設けたフックを支柱側の係止孔に嵌合させることによって、棚板を支柱に保持させる構造となっているため、棚板に加わる荷重はフックと係止孔との２カ所の嵌合部に集中する。このため、大きな荷重に耐えるようにするには、その分前記嵌合部の強度を上げる必要があるが、構造上おのずと限界があった。
【０００５】
また、フックと係止孔との間に生じるガタによって、フックが左右に揺動してしまうことがあった。
【０００６】
そこで本発明は、棚板の着脱作業が極めて簡単でありながら、高荷重にも十分耐えることのできる棚板装置を提供することを目的としている。
【課題を解決するための手段】
【０００７】
本発明の棚板装置は、被取付面に取着される支持部材と、この支持部材に着脱可能に装着される棚板とから構成され、前記支持部材は、被取付面に取付けられる基盤部と、この基盤部の前面の上縁部にその幅方向に沿って突設され、曲面で構成された上向き凹部を基部に有する上側受片と、前記基盤部の前面の下縁部にその幅方向に沿って突設され、下向き凹部を基部に有する下側受片とを備え、前記棚板は、前記上側受片の上向き凹部と嵌合可能で且つ上向き凹部の曲面と同様の曲面で構成された下向き凸部を先端部に有する上側固定片と、前記下側受片の下向き凹部と嵌合可能な上向き凸部を先端部に有する下側固定片とを備え、前記棚板の上側固定片の下向き凸部と前記支持部材の上側受片の上向き凹部とが嵌合された状態で該嵌合部分を軸に棚板が下方向へ回動されることにより、棚板の下側固定片の上向き凸部が支持部材の下側受片の下向き凹部に嵌入されて棚板が支持部材に固定されることを特徴とするものである。
【０００８】
このようになる本発明の棚板装置は、棚板の上側固定片の下向き凸部と支持部材の上側受片の上向き凹部とを嵌合させた状態で該嵌合部分を軸に棚板が下方向へ回動されることにより、棚板の下側固定片の上向き凸部が支持部材の下側受片の下向き凹部に嵌入されて棚板が支持部材に固定されるものであるから、棚板の支持部材への装着が極めて容易である。また、支持部材へ固定された棚板の上側固定片の下向き凸部と支持部材の上側受片の上向き凹部との嵌合部分を軸に上方向へ棚板を回動させることにより、棚板の下側固定片の上向き凸部と支持部材の下側受片の下向き凹部との嵌合が外れるので、支持部材への棚板の装着と同様に、支持部材からの棚板の取り外しも容易である。
【０００９】
また、上記したような構成の本発明の棚板装置は、支持部材へ固定された棚板の後端面が、その全域に亘って支持部材により支持される構成となっているので、支持部材から棚板が簡単に外れ落ちてしまうことがない。
【００１０】
さらに、支持部材の基盤部の前面に、前記棚板の幅寸法に対応する間隔を隔てて一対の側面板を形成し、この一対の側面板を前記棚板の左右側面に固定させるようにすると、支持部材へ固定された棚板の後端面に加えて、左右側面も、その全域に亘って支持部材により支持されるので、棚板の支持部材への固定がより安定したものとなる。
【発明の効果】
【００１１】
このように、本発明の棚板装置は、棚板の上側固定片の下向き凸部と支持部材の上側受片の上向き凹部とが嵌合された状態で該嵌合部分を軸に棚板が下方向へ回動されることにより、棚板の下側固定片の上向き凸部が支持部材の下側受片の下向き凹部に嵌入されて棚板が支持部材に固定されるものであるから、棚板の着脱が極めて容易であり、棚板の交換作業を従来に比べて簡便化できる。
【００１２】
また、本発明の棚板装置は、棚板の後端面がその全域に亘って支持部材により支持されるものであるから、従来のブラケットによるものと比べて、遥かに高荷重に耐えることができ、棚板が簡単に外れ落ちてしまうことがない。
【発明を実施するための最良の形態】
【００１３】
以下、本発明の実施の形態について、図面を参照して説明する。
【００１４】
図１〜図３のそれぞれに、本発明に係る棚板装置の一実施形態を表わす斜視図（Ａ）と側面図（Ｂ）を示し、さらに、図４に棚板の着脱過程（Ａ）〜（Ｄ）に沿う本発明に係る棚板装置の一実施形態の側面図を示す。
【００１５】
図１に示すように、この棚板装置は、壁面等の被取付面に取り付けられる支持部材１と、その支持部材１に着脱自在に装着される棚板２とから構成される。
【００１６】
支持部材１の基盤部１０の前面の上縁部には、上側受片１１がその幅方向に沿って突設されている。また、この上側受片１１の基部には、曲面で構成された上向き凹部１４が形成されている。
【００１７】
さらに、支持部材１の基盤部１０の前面の下縁部には、下側受片１２がその幅方向に沿って突設されている。また、この下側受片１２の基部には、下向き凹部１５が形成されている。なお、この下向き凹部１５は、上向き凹部１４と同様の曲面で構成されるものであっても、直角面で構成されるものであってもよい（図４参照）。
【００１８】
なお、図１〜図３に示す棚板装置の支持部材１においては、基盤部１０の幅寸法と同じ幅の上側受片１１及び下側受片１２がそれぞれ一つずつ、基盤部１０の前面の上縁部及び下縁部に突設されているが、これに限らず、各幅が基盤部１０の幅寸法より短い複数の上側受片１１及び下側受片１２をそれぞれ、その基盤部１０の前面にその幅方向に沿って突設させるようにしてもよい。
【００１９】
上記したような支持部材１を壁に取り付ける際には、例えば図１に示すように、基盤部１０にネジ穴１７，１８，１９を開け、ネジにて壁に取り付けるようにすればよい。
【００２０】
また、棚板２の上面２０の後縁には、上側固定片２１が備えられている。この上側固定片２１の先端部には、上記した支持部材１の上側受片１１の上向き凹部１４と嵌合可能な下向き凸部２４が設けられている。さらに、この下向き凸部２４は、前記上側受片１１の上向き凹部１４の曲面と同様の曲面で構成されている。このように、棚板２の上側固定片２１の下向き凸部２４を、支持部材１の上側受片１１の上向き凹部１４の曲面と同様の曲面で構成すると、上側固定片２１の下向き凸部２４と支持部材１の上側受片１１の上向き凹部１４とを嵌合させたまま該嵌合部分Ｐを軸に棚板２を上下方向へ回動させることができる。
【００２１】
さらに、棚板２の下面２３の後縁には、下側固定片２２が備えられており、この下側固定片２２の先端部には、上記した支持部材１の下側受片１２の下向き凹部１５と嵌合可能な上向き凸部２５が設けられている。なお、棚板２の形状、その棚板２への下側固定片２２の接地角度、及びその下側固定片２２の上向き凸部２５の形状は、棚板２の上側固定片２１の下向き凸部２４と支持部材１の上側受片１１の上向き凹部１４とを嵌合させた状態で該嵌合部分Ｐを軸に棚板２を下方向へ回動させた時に、その下側固定片２２の上向き凸部２５が支持部材１の下側受片１２の下向き凹部１５に嵌入されるように図られている。
【００２２】
例えば、図１〜図４に示す棚板装置では、支持部材１の上側受片１１及び下側受片１２は、それぞれ基盤部１０の前面に垂直に突設されている。このような支持部材１を備えた棚板装置において、前述のようにして棚板２が回動された際に、支持部材１の下側受片１２の下向き凹部１５に棚板２の下側固定片２２の上向き凸部２５が嵌入されるように、棚板２の下面２３は下方向へ傾斜する傾斜面とされており、その傾斜に沿って下側固定片２２が棚板２の下面２３に形成されている。よって、図１〜４に示す棚板装置では、支持部材１に装着された棚板２は、棚板２に物が載置できるようにその上面２０及びその上面２の上側固定片２１が支持部材１の基盤部１０に対して垂直であるのに対し、その下面２３及びその下面２３の下側固定片２２は支持部材１の基盤部１０に対して傾斜して接地されたものとなっている（図４（Ｄ）参照）。また、前述のように回動させて、支持部材１の下側受片１２の下向き凹部１５に棚板２の下側固定片２２の上向き凸部２５を嵌入させる際に、棚板２の下側固定片２２の上向き凸部２５の先端部２６が支持部材１の下側受片１２の先端部１６に引っ掛からないように、棚板２の下側固定片２２の上向き凸部２５の先端部２６の形状は平坦となっている（図４参照）。このようにして、図１〜図４に示す棚板装置では、棚板２の上側固定片２１の下向き凸部２４と支持部材１の上側受片１１の上向き凹部１４とが嵌合された状態で該嵌合部分Ｐを軸に棚板２が下方向へ回動されることにより、その下側固定片２２の上向き凸部２５が支持部材１の下側受片１２の下向き凹部１５に嵌入されることを可能としている。
【００２３】
上記したような本発明に係る棚板装置では、図３に示すように、支持部材１に装着された棚板２は、その後端面が全域に亘って支持部材１により支持される。このため、従来のブラケットによるものと比べて、遥かに高荷重に耐えることができ、棚板２が簡単に外れ落ちてしまうことがない。
【００２４】
また、棚板２をより安定に支持部材１に固定させるには、支持部材１の基盤部１０の前面に、棚板２の幅寸法に対応する間隔を隔てて一対の側面板３ａ，３ｂを設け、この一対の側面板３ａ，３ｂを棚板２の左右側面に固定するようにするとよい（図１〜図３参照）。
【００２５】
そこで、図１〜図３に示す実施形態では、支持部材１の基盤部１０の前面に棚板２の幅寸法に対応する間隔を隔てて一対の側面板３ａ，３ｂを形成し、この一対の側面板３ａ，３ｂにネジ穴３７，３８を開け、さらに、それら側面板３ａ，３ｂのネジ穴３７，３８に対応するネジ穴２７，２８を棚板２にも開けて、ネジにて側面板３ａ，３ｂをその棚板２の左右側面に固定するようにした。
【００２６】
次に、上記した棚板２を支持部材１に固定する手順を、図４（Ａ）〜（Ｄ）に沿って説明する。
【００２７】
まず、支持部材１の斜め上方から（図１及び図４（Ａ）参照）、棚板２の上側固定片２１の下向き凸部２４を支持部材１の上側受片１１の上向き凹部１４に嵌合させる（図２、図４（Ｂ）参照）。
【００２８】
そして、その嵌合部分Ｐを軸に棚板２を下方向へ回動させる（図４（Ｂ）及び図４（Ｃ）参照）。回動される従い、棚板２の下側固定片２２の上向き凸部２５と、支持部材１の下側受片１２とは接近し（図４（Ｃ）参照）、最終的に、棚板２の下側固定片２２の上向き凸部２５は支持部材１の下側受片１２の下向き凹部１５に嵌入される（図４（Ｄ）参照）。これにより、図３に示すように、棚板２が支持部材１に固定される。
【００２９】
逆に、支持部材１に固定された棚板２（図３及び図４（Ｄ）参照）を外すには、棚板２の上側固定片２１の下向き凸部２４と支持部材１の上側受片１１の上向き凹部１４との嵌合部分Ｐを軸に上方向に棚板２を回動させていく（図４（Ｃ）及び図４（Ｂ）参照）。これにより、棚板２の下側固定片２２の上向き凸部２５と支持部材１の前記下側受片１２の下向き凹部１５との嵌合が外れるので、さらに棚板２の上側固定片２１の下向き凸部２４と支持部材１の上側受片１１の上向き凹部１４との嵌合を外して支持部材１から棚板２を取り外す（図１及び図４（Ａ）参照）。
【００３０】
上記したような本発明に係る棚板装置は、図５に示すように壁に複数の支持部材１を、横方向に隣接させて取り付けたり、間隔を空けて取り付けたりして、壁に使用者の好みの位置に好みの幅の棚板を備えることができる。また、それら支持部材１に装着する棚板２の奥行き寸法は使用者の好みに応じて自由に選択できる。さらに、既に取り付けられた棚板２を、用途の変化に応じて取り外し、その棚板２が取り付けられていた支持部材１に奥行き寸法の異なる別の棚板２を取り付けることもできる。
【００３１】
さらに、図１〜図４に示した棚板装置の機能を組立式棚に備えることも可能であり、その一実施態様を図６〜図９に示す。
【００３２】
この組立式棚は、図６に示すように、左右に所定の間隔を空けて立設される複数本の支柱４と、それら左右に隣接する支柱４間に固定される複数の架設板５と、それら架設板５に備えられた複数の支持部材１と、それら支持部材１に着脱自在に固定された複数の棚板２とから構成されている。さらに、用途に応じて図６に示すように、隣り合う支柱４間の下方に、引き出し式の棚ユニット６を固定してもよい。なお、支持部材１及び棚板２は、ともに上記した図１〜図４で説明した実施の形態と同様であるので、それらの説明を省略する。
【００３３】
架設板５は、支柱４間を連結することが可能な長さの横長長方形状を有しており、この架設板５は、棚板２が取り付けられる位置に設けられる。
【００３４】
支持部材１は架設板５に一体に形成されており、図６に示す組立式棚では、架設板５の前後両面に支持部材１が形成されている（図７〜図９参照）。このようにすると、支持部材１を介して架設板５の前面に固定する棚板２の奥行き寸法と架設板５の後面に固定する棚板２の奥行き寸法をそれぞれ自由に選択することが可能となる。
【００３５】
棚板２を支持部材１へ装着する際には、図１〜図４で説明した実施の形態と同様に、支持部材１の斜め上方から（図７参照）、棚板２の上側固定片２１の下向き凸部２４を支持部材１の上側受片１１の上向き凹部１４に嵌合させ（図８参照）、その嵌合部分Ｐを軸に棚板２を下方向へ回動させて支持部材１の下側受片１２の下向き凹部１５に棚板２の下側固定片２２の上向き凸部２５を嵌入させて棚板２を支持部材１へ固定する（図９参照）。
【００３６】
また、支持部材１に装着された棚板２を外す場合にも同様に、棚板２の上側固定片２１の下向き凸部２４と支持部材１の上側受片１１の上向き凹部１４との嵌合部分Ｐを軸に棚板２を上方向へ回動させて棚板２の下側固定片２２の上向き凸部２５と支持部材１の下側受片１２の下向き凹部１５との嵌合を外し（図８参照）、棚板２を支持部材１から取り外す（図７参照）。
【００３７】
上記したような組立式棚は、既に取り付けられている棚板２を奥行き寸法の異なる別の棚板２へ交換する際に、組立式棚を分解することなく、棚板２のみを取り外して、別の棚板２を新たに装着することができ、交換作業が従来の組立式棚と比べて容易である。
【産業上の利用可能性】
【００３８】
本発明に係る棚板装置を利用すれば、壁面等に棚板を備えることができる。また、本発明に係る棚板装置は、棚機能を有する、例えば収納棚や業務用のラックなどに利用することも可能である。
【図面の簡単な説明】
【００３９】
【図１】本発明に係る棚板装置の一実施形態において、棚板を支持部材から取り外した状態を示す斜視図（Ａ）及び側面図（Ｂ）である。
【図２】図１の棚板装置において、棚板の上側固定片の下向き凸部を支持部材の上向き凹部に嵌合させた状態を示す斜視図（Ａ）及び側面図（Ｂ）である。
【図３】図１の棚板装置において、棚板を支持部材へ装着させた状態を示す斜視図（Ａ）及び側面図（Ｂ）である。
【図４】本発明に係る棚板装置において、棚板の支持部材への装着過程を説明する側面図である。
【図５】本発明に係る棚板装置を壁に取り付けた一実施形態を示す斜視図である。
【図６】本発明に係る棚板装置を用いた組立式棚の一実施形態を示す斜視図である。
【図７】図６の組立式棚において、棚板を取り外した状態を示す部分拡大斜視図（Ａ）及び部分拡大側面図（Ｂ）である。
【図８】図６の組立式棚において、棚板の上側固定片の下向き凸部を支持部材の上向き凹部に嵌合させた状態を示す部分拡大斜視図（Ａ）及び部分拡大側面図（Ｂ）である。
【図９】図６の組立式棚において、棚板を支持部材に装着させた状態を示す部分拡大斜視図（Ａ）及び部分拡大側面図（Ｂ）である。
【符号の説明】
【００４０】
１    支持部材
１０  基盤部
１１  上側受片
１２  下側受片
１４  上向き凹部
１５  下向き凹部
１６  下側受片の先端部
１７、１８、１９  ネジ穴（被取付面への固定用）
２    棚板
２０  上面
２１  上側固定片
２２  下側固定片
２３  下面
２４  下向き凸部
２５  上向き凸部
２６  上向き凸部の先端部
２７、２８  ネジ穴（側面板固定用）
３、３ａ、３ｂ  側面板
３７、３８  ネジ穴（側面板固定用）
４    支柱
５    架設板
６    引き出し式の棚ユニット
Ｐ    上向き凹部と下向き凸部の嵌合部分
【図１】
2007252591.tif 000003
【図２】
2007252591.tif 000004
【図３】
2007252591.tif 000005
【図４】
2007252591.tif 000006
【図５】
2007252591.tif 000007
【図６】
2007252591.tif 000008
【図７】
2007252591.tif 000009
【図８】
2007252591.tif 000010
【図９】
2007252591.tif 000011